(57)【要約】【課題】組み立て作業が容易であるとともに、設置場所や用途の変更に応じて形状変更も容易である組立式家具を提供する。【解決手段】横板部材２０の内部に挿通させた連結棒３１の雄ねじ部３１ａと、縦板部材１０に装着されたナット部材３２の第１雌ねじ部３２ａとを螺合させることにより、横板部材２０および縦板部材１０を結合させるように構成され、ナット部材３２が、第１雌ねじ部３２ａが形成された反対側にも連結棒３１の雄ねじ部３１ａと螺合する第２雌ねじ部３２ｂを有し、この第２雌ねじ部３２ｂに他の連結棒３１′の雄ねじ部３１ａ′を螺合させることにより他の横板部材２０′を縦板部材１０に取り付けることができるように構成される。【選択図】図７
2016198417.tif 000002
【特許請求の範囲】
【請求項１】
複数の縦板部材および横板部材を結合金具により結合して構成される組立式家具であって、
前記結合金具は、
前記縦板部材および横板部材の一方を構成する第１板部材の内部に板面に沿って挿通可能であり、両端部に雄ねじ部が形成された連結棒と、
前記縦板部材および横板部材の他方を構成する第２板部材に板面に垂直に延びて形成された貫通孔に装着可能であり、前記連結棒の雄ねじ部と螺合する第１雌ねじ部を有したナット部材とを備え、
前記連結棒を前記第１板部材の内部に挿通させて前記第１板部材の端部から外方に突出した前記連結棒の雄ねじ部と、前記第２板部材の前記貫通孔に装着された前記ナット部材の第１雌ねじ部とを螺合させることにより、前記第１板部材および前記第２板部材を結合させるように構成され、
前記ナット部材は、前記第１雌ねじ部が形成された反対側にも前記連結棒の雄ねじ部と螺合する第２雌ねじ部を有し、
前記ナット部材の前記第２雌ねじ部に他の前記連結棒の雄ねじ部を螺合させることにより他の前記第１板部材を前記第２板部材に取り付けることができるように構成されたことを特徴とする組立式家具。
【請求項２】
前記ナット部材は、前記第２雌ねじ部が形成された側において、前記ナット部材を前記連結棒に締め付けるための工具が挿入される工具挿入孔が前記第２雌ねじ部と連通して形成され、前記連結棒の雄ねじ部が前記工具挿入孔を通って前記第２雌ねじ部に螺合されるように構成され、
前記第２板部材の前記貫通孔に装着された前記ナット部材の前記工具挿入孔が形成された端面と前記第２板部材の板面とが略面一になるように構成されたことを特徴とする請求項１に記載の組立式家具。
【請求項３】
前記ナット部材は、前記第１雌ねじ部が形成された方向に外径が小さくなる円錐形状に形成され、
前記ナット部材が装着される前記第２板部材の前記貫通孔が、前記ナット部材の円錐形状に対応した円錐形状に形成されることを特徴とする請求項１または２に記載の組立式家具。
【請求項４】
前記結合金具は、前記連結棒の両端部にそれぞれ設けられたフランジ部を備え、
前記連結棒を前記第１板部材の内部に挿通させた状態のときに前記フランジ部が前記第１板部材の内面と当接するように、前記フランジ部の外形寸法および前記第１板部材に形成された前記連結棒を挿通させるための挿通孔の内径寸法が設定されていることを特徴とする請求項１〜３のいずれか一項に記載の組立式家具。
【請求項５】
前記ナット部材の前記第２雌ねじ部を利用して前記第２板部材の外面側に前記第１板部材以外の物も取り付け可能に構成されることを特徴とする請求項１〜４のいずれか一項に記載の組立式家具。
【発明の詳細な説明】
【技術分野】
【０００１】
本発明は、複数の縦板部材および横板部材を結合金具により結合して構成される組立式家具に関する。
【背景技術】
【０００２】
従来、このような組立式家具として、一方の端部に雄ねじ部を有するとともに他方の端部に雌ねじ部を有する連結棒を備え、縦板部材の内部に板面に沿って挿通させた連結棒の雄ねじ部および雌ねじ部を、横板部材に装着されたナット部材およびボルト部材にそれぞれ螺合させることにより、縦板部材および横板部材を結合させるように構成された組立式家具が知られている（例えば、特許文献１，２を参照）。
【先行技術文献】
【特許文献】
【０００３】
【特許文献１】特許第４５９０４７８号
【特許文献２】特開平７‐３２２９２４号公報
【発明の概要】
【発明が解決しようとする課題】
【０００４】
このような組立式家具は、分解された状態で梱包されており、購入者が自分で組み立てるようになっている場合が多いため、組み立て作業が容易であることが求められる。また、設置場所の変更や用途の変更に応じて家具の形状も変更可能であることが求められ、その際の形状変更も容易であることが求められる。
【０００５】
本発明はこのような課題に鑑みてなされたものであり、組み立て作業が容易であるとともに、設置場所や用途の変更に応じて形状変更も容易である組立式家具を提供することを目的とする。
【課題を解決するための手段】
【０００６】
上記目的を達成するため、本発明に係る組立式家具は、複数の縦板部材および横板部材を結合金具により結合して構成されるものであって、前記結合金具は、前記縦板部材および横板部材の一方を構成する第１板部材（例えば、実施形態における横板部材２０）の内部に板面に沿って挿通可能であり、両端部に雄ねじ部が形成された連結棒と、前記縦板部材および横板部材の他方を構成する第２板部材（例えば、実施形態における縦板部材１０）に板面に垂直に延びて形成された貫通孔に装着可能であり、前記連結棒の雄ねじ部と螺合する第１雌ねじ部を有したナット部材とを備え、前記連結棒を前記第１板部材の内部に挿通させて前記第１板部材の端部から外方に突出した前記連結棒の雄ねじ部と、前記第２板部材の前記貫通孔に装着された前記ナット部材の第１雌ねじ部とを螺合させることにより、前記第１板部材および前記第２板部材を結合させるように構成される。そして、前記ナット部材は、前記第１雌ねじ部が形成された反対側にも前記連結棒の雄ねじ部と螺合する第２雌ねじ部を有し、前記ナット部材の前記第２雌ねじ部に他の前記連結棒の雄ねじ部を螺合させることにより他の前記第１板部材を前記第２板部材に取り付けることができるように構成される。
【０００７】
なお、上記構成の組立式家具において、前記ナット部材は、前記第２雌ねじ部が形成された側において、前記ナット部材を前記連結棒に締め付けるための工具が挿入される工具挿入孔（例えば、実施形態における六角孔３４）が前記第２雌ねじ部と連通して形成され、前記連結棒の雄ねじ部が前記工具挿入孔を通って前記第２雌ねじ部に螺合されるように
構成され、前記第２板部材の前記貫通孔に装着された前記ナット部材の前記工具挿入孔が形成された端面と前記第２板部材の板面とが略面一になるように構成されることが好ましい。
【０００８】
また、上記構成の組立式家具において、前記ナット部材は、前記第１雌ねじ部が形成された方向に外形が小さくなる円錐形状に形成され、前記ナット部材が装着される前記第２板部材の前記貫通孔が、前記ナット部材の円錐形状に対応した円錐形状に形成されることが好ましい。
【０００９】
また、上記構成の組立式家具において、前記結合金具は、前記連結棒の両端部にそれぞれ設けられたフランジ部を備え、前記連結棒を前記第１板部材の内部に挿通させた状態のときに前記フランジ部が前記第１板部材の内面と当接するように、前記フランジ部の外形寸法および前記第１板部材に形成された前記連結棒を挿通させるための挿通孔の内径寸法が設定されることが好ましい。
【００１０】
また、上記構成の組立式家具において、前記ナット部材の前記第２雌ねじ部を利用して前記第２板部材の外面側に前記第１板部材以外の物（例えば、実施形態におけるフック部材４０、カゴ部材４１、小物入れ５０、タオルラック部材５１、棚部材５２、ハンガーラック部材１４０、キャスター部材（車輪）１４５）も取り付け可能に構成されることが好ましい。
【発明の効果】
【００１１】
本発明に係る組立式家具によれば、第１板部材の内部に挿通させた連結棒の雄ねじ部と、第２板部材に装着されたナット部材の第１雌ねじ部とを螺合させることにより、第１板部材および第２板部材を結合させるように構成され、前記ナット部材が、前記第１雌ねじ部が形成された反対側にも連結棒の雄ねじ部と螺合する第２雌ねじ部を有し、この第２雌ねじ部に他の連結棒の雄ねじ部を螺合させることにより他の第１板部材を第２板部材に取り付けることができるように構成される。そのため、連結棒の雄ねじ部とナット部材の第１雌ねじ部とを螺合させることによって第１および第２板部材を結合させることができるので、組み立て作業が容易である。また、ナット部材が第１雌ねじ部の反対側に第２雌ねじ部を有しているため、この第２雌ねじ部に他の連結棒を螺合させて他の第１板部材を第２板部材に取り付けることができるので、設置場所や用途の変更に応じて家具の形状変更も容易に行うことができる。
【００１２】
なお、ナット部材は、第２雌ねじ部が形成された側において第２雌ねじ部と連通する工具挿入孔が形成され、第２板部材に装着されたナット部材の工具挿入孔が形成された端面と第２板部材の板面とが略面一になるように構成されると、連結棒とナット部材を螺合させて第１および第２板部材を結合させたときに、ナット部材が第２板部材の板面から飛び出た状態とはならず、スマートな外観形状とすることができる。
【００１３】
また、ナット部材は、第１雌ねじ部が形成された方向に外径が小さくなる円錐形状に形成され、ナット部材が装着される第２板部材の貫通孔が、ナット部材の円錐形状に対応した円錐形状に形成されると、楔効果によって連結棒およびナット部材（第１板部材および第２板部材）をより一層強固に結合させることができる。
【００１４】
また、結合金具は、連結棒の両端部にそれぞれ設けられたフランジ部材を備え、連結棒を第１板部材の内部に挿通させた状態のときにフランジ部材が第１板部材の内面と当接するように、フランジ部材の外形寸法および第１板部材に形成された連結棒を挿通させるための挿通孔の内径寸法が設定されると、第１板部材内での連結棒のガタツキを防止することができる。また、第１板部材の板面にかかる荷重の一部を、第１板部材の内面とフラン
ジ部材との当接面において支持することができるので、第１板部材の板面にかかる荷重に対する強度を向上させることができる。
【００１５】
また、ナット部材の第２雌ねじ部を利用して第２板部材の外面側に第１板部材以外の物も取り付け可能に構成されると、例えばナット部材の第２雌ねじ部を利用してフック部材やカゴ部材等を取り付けることにより、種々の用途に対応可能な家具とすることができる。
【図面の簡単な説明】
【００１６】
【図１】本発明に係る組立式家具を示す図であり、（ａ）は斜視図、（ｂ）は分解斜視図である。
【図２】本発明に係る組立式家具を構成する縦板部材および横板部材の断面図である。
【図３】（ａ）は上記縦板部材および横板部材を結合する結合金具を構成する連結棒の正面図、（ｂ）は上記結合金具を構成するフランジ部材の側面図、（ｃ）は連結棒にフランジ部材を取り付けた状態を示す正面図である。
【図４】上記結合金具を構成するナット部材を示す図であり、（ａ）は断面図、（ｂ）は側面図である。
【図５】上記結合金具を用いて縦板部材および横板部材を結合させた状態を示す断面図である。
【図６】本発明に係る組立式家具を拡張させた状態を示す図であり、（ａ）は斜視図、（ｂ）は分解斜視図である。
【図７】本発明に係る組立式家具を拡張させた状態を示す断面図である。
【図８】本発明に係る組立式家具の第１変形例を示す斜視図である。
【図９】本発明に係る組立式家具の第２変形例を示す図であり、（ａ）は正面図、（ｂ）は側面図である。
【図１０】（ａ）は本発明に係る組立式家具の第３変形例を示す正面図であり、（ｂ）は本発明に係る組立式家具の第４変形例を示す正面図である。
【図１１】本発明に係る組立式家具の第５変形例を示す図であり、（ａ）は分解斜視図、（ｂ）はラック部材を取り付ける状態を示す斜視図である。
【発明を実施するための形態】
【００１７】
以下、図面を参照して本発明の実施形態について説明する。本発明の実施形態に係る組立式家具１は、図１に示すように、左右の縦板部材１０と、３枚の横板部材２０と、これらの縦板部材１０および横板部材２０をそれぞれ結合させる複数の結合金具３０とを備えて構成される。なお、本実施形態では、図１に示す各矢印の方向をそれぞれ、上下方向、前後方向、左右方向として説明する。
【００１８】
縦板部材１０は、図２に示すように、矩形枠状に組み付けられた枠木と、枠木の左右両面にそれぞれ接着された表面板とを有し、全体として一枚の矩形状の板部材に形成されている。上記枠木は上下方向の中間位置にも設けられており、これら上中下の３つの枠木の位置において、３枚の横板部材２０をそれぞれ取り付けるための貫通孔１１が縦板部材１０を板面に垂直な方向（左右方向）に貫通して形成されている。貫通孔１１は、縦板部材１０の上中下の枠木において前後２つの貫通孔１１ａ，１１ｂがそれぞれ形成されており、内部形状が後述するナット部材３２の外形形状に対応した円錐形状に形成されている。
【００１９】
横板部材２０は、縦板部材１０と同様に、矩形枠状に組み付けられた枠木と、枠木の左右両面にそれぞれ接着された表面板とを有し、全体として一枚の矩形状の板部材に形成されている。左右の枠木には、後述する連結棒３１を横板部材２０の内部に板面に沿って挿通させるための挿通孔２１が板面に沿った方向（左右方向）に貫通して横板部材２０の内
部空間に連通するように形成されている。挿通孔２１は、縦板部材１０の貫通孔１１ａ，１１ｂの前後間隔に対応した間隔で前後２つの挿通孔２１ａ，２１ｂが形成されている。
【００２０】
結合金具３０は、図１、図３および図４に示すように、両端部にそれぞれ雄ねじ部３１ａが形成された円柱棒状の連結棒３１と、連結棒３１の雄ねじ部３１ａと螺合する第１雌ねじ部３２ａを有した２つのナット部材３２と、連結棒３１の両端部にそれぞれ設けられる円柱状のフランジ部材３３とを備えて構成される。
【００２１】
連結棒３１は、両端部のそれぞれ外径が中央部よりも一段細くなっており、この一段細くなった両端部に雄ねじ部３１ａが形成されている。連結棒３１は、横板部材２０の左右一方の挿通孔２１から挿入されて横板部材２０の内部に板面に沿って挿通された状態において、連結棒３１の雄ねじ部３１ａが横板部材２０の左右の側面からそれぞれ外方に突出するように、連結棒３１の長さ寸法が設定されている。
【００２２】
フランジ部材３３は、連結棒３１の外径よりも大きな外径を有する円柱形状であり、連結棒３１の雄ねじ部３１ａに螺合する雌ねじ部３３ａが円柱の両側平面の中央部を貫通して形成されている。この雌ねじ部３３ａを連結棒３１の雄ねじ部３１ａに螺合させることにより、フランジ部材３３が連結棒３１の両端部にそれぞれ取り付けられるようになっている（図３（ｃ）を参照）。フランジ部材３３は、連結棒３１を横板部材２０の内部に挿通させた状態のときに、横板部材２０の挿通孔２１内に配置されるように連結棒３１に取り付けられる。そして、フランジ部材３３の外周面と挿通孔２１の内周面とが当接するように、フランジ部材３３の外径寸法および挿通孔２１の内径寸法が設定されている。なお、フランジ部材３３は、上記のように連結棒３１の両端部に取り付けられた状態において溶接や接着によって固定されるようにしてもよい。
【００２３】
ナット部材３２は、連結棒３１の雄ねじ部３１ａと螺合する第１雌ねじ部３２ａが形成された方向に外径が小さくなる円錐形状に形成されている。ナット部材３２は、第１雌ねじ部３２ａが形成された反対側（円錐形状の底面）に、ナット部材３２を連結棒３１に締め付けるための六角棒レンチが挿入される六角孔３４が形成されている。また、ナット部材３２の内部には、第１雌ねじ部３２ａと六角孔３４とを連通するように第２雌ねじ部３２ｂが形成されており、ナット部材３２は、第１雌ねじ部３２ａが形成された反対側からも、連結棒３１の雄ねじ部３１ａが六角孔３４を通って第２雌ねじ部３２ｂに螺合されるように構成されている。ナット部材３２は、六角孔３４が形成された側の端部外周面に環状の鍔部３５が形成されている。ナット部材３２は、縦板部材１０の貫通孔１１内に装着されるようになっており、貫通孔１１内に装着された状態において、ナット部材３２の六角孔３４が形成された底面と縦板部材１０の板面とが略面一になるように、ナット部材３２および貫通孔１１が形成されている。
【００２４】
次に、上記のように構成される組立式家具１の組み立て手順について、図１および図５を用いて説明する。組立式家具１を組み立てるには、まず、連結棒３１の雄ねじ部３１ａにフランジ部材３３の雌ねじ部３３ａを螺合させて、フランジ部材３３を連結棒３１の両端部にそれぞれ取り付ける（図３（ｃ）を参照）。このように全ての連結棒３１にフランジ部材３３を取り付ける。そして、この連結棒３１を横板部材２０の左右一方の挿通孔２１から挿入して横板部材２０の内部に板面に沿って挿通させる。このように横板部材２０の前後の挿通孔２１ａ，２１ｂに連結棒３１をそれぞれ挿入して横板部材２０の内部に２本の連結棒３１を挿通させる。また、このように３枚全ての横板部材２０の内部に連結棒３１を挿通させる。
【００２５】
次に、縦板部材１０の前後の貫通孔１１ａ，１１ｂにナット部材３２をそれぞれ装着し、これらのナット部材３２の第１雌ねじ部３２ａと、横板部材２０内に挿通された２本の
連結棒３１の雄ねじ部３１ａとをそれぞれ螺合させる（図５を参照）。このとき、ナット部材３２の六角孔３４に六角棒レンチを挿入し、この六角棒レンチを用いてナット部材３２を連結棒３１に締め付けることにより、縦板部材１０に横板部材２０が結合される。このように左右の縦板部材１０と上中下３枚の横板部材２０とを結合させることによって、組立式家具１の組み立て作業が完了となる。
【００２６】
このように組み立てられる組立式家具１では、横板部材２０内に挿通させた連結棒３１の雄ねじ部３１ａと縦板部材１０に装着したナット部材３２の第１雌ねじ部３２ａとを螺合させることによって縦板部材１０および横板部材２０を結合させることができるので、組み立て作業が容易である。また、図５に示すように、縦板部材１０の貫通孔１１に装着されたナット部材３２の六角孔３４が形成された側面が縦板部材１０の板面と略面一になるようになっているため、ナット部材３２が縦板部材１０の板面から飛び出た状態とならず、スマートな外観形状とすることができる。
【００２７】
また、ナット部材３２が円錐形状に形成されているとともに、縦板部材１０の貫通孔１１がナット部材３２の円錐形状に対応した円錐形状に形成されているため、楔効果によって連結棒３１およびナット部材３２（縦板部材１０および横板部材２０）をより一層強固に結合させることができる。また、連結棒３１の両端部にそれぞれ取り付けられたフランジ部材３３の外周面と、横板部材２０の挿通孔２１の内面とが当接するようになっているため、横板部材２０内での連結棒３１のガタツキを防止することができる。さらに、横板部材２０の板面にかかる荷重の一部を、挿通孔２１の内面とフランジ部材３３の外周面との当接面において支持することができるので、横板部材２０の板面にかかる荷重に対する強度を向上させることができる。
【００２８】
また、組立式家具１では、設置場所や用途の変更に応じて形状変更も容易に行うことができる。この形状変更の一例として、上述した組立式家具１の右側に上中下３枚の横板部材２０′および１枚の縦板部材１０′を取り付けて組立式家具１を拡張させる場合について、図６および図７を用いて説明する。なお、これから説明する縦板部材１０′、横板部材２０′および結合金具３０′は、上述した縦板部材１０、横板部材２０および結合金具３０と同一構成のものであるため、同一符番に「′」を付し、構成の説明は省略する。
【００２９】
組立式家具１を拡張させるには、まず、全ての連結棒３１′の両端部にフランジ部材３３をそれぞれ取り付ける。そして、これらの連結棒３１′を３枚全ての横板部材２０′の挿通孔２１′から挿入して横板部材２０′の内部に板面に沿って挿通させる。次に、横板部材２０′内に挿通された２本の連結棒３１′の雄ねじ部３１ａ′をそれぞれ、組立式家具１の右側の縦板部材１０に装着されているナット部材３２の六角孔３４を通って第２雌ねじ部３２ｂに螺合させる。また、横板部材２０′内に挿通された２本の連結棒３１′の反対側の雄ねじ部３１ａ′と、縦板部材１０′の前後の貫通孔１１ａ′，１１ｂ′にそれぞれ装着したナット部材３２′の第１雌ねじ部３２ａ′とをそれぞれ螺合させる。このとき、ナット部材３２′の六角孔３４′に六角棒レンチを挿入し、この六角棒レンチを用いてナット部材３２′を連結棒３１′に締め付けることにより、反対側における連結棒３１′の雄ねじ部３１ａ′とナット部材３２の第２雌ねじ部３２ｂとの螺合も締め付けられ、組立式家具１の右側の縦板部材１０に横板部材２０′および縦板部材１０′が結合される。このように上中下３枚の横板部材２０′と１枚の縦板部材１０′とを結合させることによって、組立式家具１の拡張作業が完了となる。
【００３０】
このように組立式家具１では、ナット部材３２が第１雌ねじ部３２ａの反対側に第２雌ねじ部３２ｂを有しているため、この第２雌ねじ部３２ｂに連結棒３１′を螺合させて組立式家具１の縦板部材１０の外面側に横板部材２０′を取り付けることができる。従って、設置場所や用途の変更に応じて、組立式家具１の形状変更（拡張）を容易に行うことが
できる。
【００３１】
なお、上述した組立式家具１の形状変更（拡張）は一例であって、設置場所や用途の変更に応じて種々の形状変更が可能である。例えば、図８に示すように、縦板部材１０を縦寸法がより大きい板部材に変更して横板部材２０による段数を増やしたり、底板および天板を構成する横板部材２０を省略したりしてもよい。また、帽子等を掛けるためのフック部材４０や小物などを入れることができるカゴ部材４１を、ナット部材３２の第２雌ねじ部３２ｂを利用して縦板部材の外面側に取り付けてもよい。
【００３２】
さらに、図９に示すように、観音開きの扉部材を正面に備えて内部に食器等を収納可能であるとともに、炊飯器や電子レンジ等を載置可能な食器棚において、この食器棚の縦板部材および横板部材を上述した結合金具３０を用いて結合するようにしてもよい。このような食器棚においても、ナット部材３２の第２雌ねじ部３２ｂを利用して、小物入れ５０、タオル等を掛けるためのタオルラック部材５１、小物などを載置可能な棚部材５２等を、縦板部材の外面側に取り付けてもよい。また、図１０（ａ）に示すような衣類を収納するための収納家具や、図１０（ｂ）に示すようなテレビ載置台やマガジンラックを備えるようなユニット家具等において、これらの家具の縦板部材および横板部材を上述した結合金具３０を用いて結合するようにしてもよい。また、例えば姿見（ミラー）のフレーム部材等、収納家具以外の組立式家具において上述した結合金具３０を用いて結合するようにしてもよい。
【００３３】
また、上述の実施形態では、横板部材２０の内部に連結棒３１を挿通させ、縦板部材１０にナット部材３２を装着し、これらの連結棒３１およびナット部材３２を螺合させて縦板部材１０および横板部材２０を結合させる構成について説明したが、図１１（ａ）に示すように、縦板部材１１０の内部に連結棒３１を挿通させ、横板部材１２０（底板および天板を構成する横板部材）にナット部材３２を装着し、これらの連結棒３１およびナット部材３２を螺合させることにより縦板部材１１０および横板部材１２０を結合させるように構成してもよい。またこのとき、中間の横板部材は、内部に連結棒３１を挿通させて縦板部材１１０に結合させるようにしてもよい。また、図１１（ｂ）に示すように、天板を構成する横板部材１２０に装着された左右のナット部材３２の第２雌ねじ部３２ｂを利用して、衣類等を掛けるためのハンガーラック部材１４０を取り付けてもよい。さらに、図１１（ａ）に示すように、底板を構成する横板部材１２０に装着された４つのナット部材３２の第２雌ねじ部３２ｂを利用して、配置移動を容易にするための４つのキャスター部材（車輪）１４５を取り付けてもよい。また、天板を構成する横板部材１２０に装着された左右のナット部材３２の第２雌ねじ部３２ｂを利用して、高さ方向に左右の縦板部材１１０および横板部材１２０を拡張してもよい。
【００３４】
なお、上述の実施形態では、結合金具３０において、フランジ部材３３が、連結棒３１とは別の部材によって構成されているが、連結棒３１の両端部にそれぞれ一体に形成されたフランジ部によって構成されてもよい。また、フランジ部材３３（フランジ部）の側面（連結棒３１中央側の面）にテーパー状に細くなる部分を形成し、横板部材２０の挿入孔２１の内側開口部にテーパー状に広がる部分を形成してもよい。このようなテーパー部を設けることにより、連結棒３１を横板部材２０の挿入孔２１に挿入するとき、もしくは挿入孔２１から引き抜くときに、フランジ部材３３（フランジ部）が横板部材２０に引っ掛かることを防ぐことができる。
【００３５】
また、上述の実施形態では、連結棒３１およびナット部材３２を締め付ける工具として六角棒レンチを用いるため、ナット部材３２に六角孔３４が形成された構成について説明したが、締め付け工具は六角棒レンチに限らず種々の工具を用いるようにしてもよく、その工具に対応した形状の工具挿入孔をナット部材３２の六角孔３４に換えて形成した構成
としてもよい。また、上述の実施形態では、第１雌ねじ部３２ａおよび第２雌ねじ部３２ｂがナット部材３２の内部において繋がった構成となっているが、第１雌ねじ部３２ａおよび第２雌ねじ部３２ｂが繋がっていない構成であってもよい。また、上述の実施形態では、縦板部材１０および横板部材２０が枠木とその両面に接着された表面板を有して構成されているが、縦板部材１０および横板部材２０は無垢材によって構成されてもよい。
【符号の説明】
【００３６】
１    組立式家具
１０  縦板部材
１１  貫通孔
２０  横板部材
２１  挿通孔
３０  結合金具
３１  連結棒
３１ａ  雄ねじ部
３２  ナット部材
３２ａ  第１雌ねじ部
３２ｂ  第２雌ねじ部
３３  フランジ部材
３４  六角孔（工具挿入孔）
【図１】
2016198417.tif 000003
【図２】
2016198417.tif 000004
【図３】
2016198417.tif 000005
【図４】
2016198417.tif 000006
【図５】
2016198417.tif 000007
【図６】
2016198417.tif 000008
【図７】
2016198417.tif 000009
【図８】
2016198417.tif 000010
【図９】
2016198417.tif 000011
【図１０】
2016198417.tif 000012
【図１１】
2016198417.tif 000013